(57)【要約】【課題】使用者に正確に情報を提供できる計器装置を提供する。【解決手段】計器装置１はメータケース２と表示器５と表ガラス６を備えている。表示器５はメータケース２内に収容される。表示器５は液晶ディスプレィ１８を備えている。液晶ディスプレィ１８は表示面１８ａを備えている。表ガラス６はメータケース２に取り付けられる。表ガラス６は表示器５に相対しかつ外方向に凸の出窓部２１ａを備えている。出窓部２１ａは平行部２２と筒部２３とを備えている。平行部２２は表示面１８ａと相対しかつ平行である。筒部２３は平行部２２の外縁に連なっている。出窓部２１ａの内面で平行部２２と筒部２３とが交わる第１の縁部Ｅ１と出窓部２１ａの外面で平行部２２と筒部２３とが交わる第２の縁部Ｅ２とは表示面１８ａに直交する方向Ｈに沿って並んでいる。【選択図】　　　図４
2004012234.tif 000002
【特許請求の範囲】
【請求項１】
メータケースと、このメータケースに取り付けられるとともに該メータケースの外側に向かって凸の出窓部を有した表ガラスと、前記メータケースと表ガラスとの中に収容されかつ前記出窓部と相対するとともに情報を表示する表示面を有する表示装置と、を備えた計器装置において、
前記出窓部は前記表示面と平行な平行部と、前記平行部の外縁に連なるとともに前記平行部から離れるのにしたがって徐々に太く形成された筒部と、を備え、
前記表ガラスの内面で前記平行部と前記筒部とが交わる第１の縁部と、前記表ガラスの外面で前記平行部と前記筒部とが交わる第２の縁部とが前記表示面に対し直交する方向に沿って並んでいることを特徴とする計器装置。
【請求項２】
前記平行部の厚みは前記筒部の厚みより厚いことを特徴とする請求項１記載の計器装置。
【発明の詳細な説明】
【０００１】
【発明の属する技術分野】
本発明は、自動車や農業機械車両や建設機械車両等の移動体としての各種車両などに取り付けられて、油圧や燃料等の計測された情報の表示や、各種機器の警告表示等を行う計器装置に関するものである。
【０００２】
【従来の技術】
自動車、農業機械車両、建設機械車両等の移動体としての各種車両には、運転者に各種の情報を表示する計器装置が取り付けられている。この種の計器装置は、走行速度や回転数等の走行状態を表示する計器や、燃料タンクの残燃料やラジエータの水温等を表示する計器や、各種の警告などを表示する計器などを備えている。前述した計器装置は、メータケースと、このメータケースに取り付けられる表ガラスと、を備えている。
【０００３】
メータケースは、箱状に形成されかつ前述した計器を収容する。表ガラスは、板状に形成されかつ前記メータケースに取り付けられると、このメータケースとともに前述した計器を収容する。表ガラスは、略平坦な平板部と、前述した車両の運転者に向かって凸の出窓部とを一体に備えている。出窓部は、前述した計器と相対している。また、表ガラスは、透明な合成樹脂からなり、前記平板部と前述した出窓部とに亘って厚みが略一定に形成されている。
【０００４】
前述した計器装置は、前記出窓部を通してメータケース内に収容された各計器が表示する情報を運転者に提供する。
【０００５】
【発明が解決しようとする課題】
しかしながら、前述した従来の計器装置の表ガラスでは、前記平板部と出窓部とに亘って厚みが一定であるため、特に出窓部の外縁部の厚みが他の箇所より厚い。このため、前述した各計器が表示する情報が、特に出窓部の外縁部で歪んでしまい、運転者が正確な情報を認識することが困難であった。
【０００６】
したがって、本発明の目的は、使用者に正確な情報を提供できる計器装置を提供することにある。
【０００７】
【課題を解決するための手段】
前記課題を解決し目的を達成するために、請求項１に記載の発明の計器装置は、メータケースと、このメータケースに取り付けられるとともに該メータケースの外側に向かって凸の出窓部を有した表ガラスと、前記メータケースと表ガラスとの中に収容されかつ前記出窓部と相対するとともに情報を表示する表示面を有する表示装置と、を備えた計器装置において、前記出窓部は前記表示面と平行な平行部と、前記平行部の外縁に連なるとともに前記平行部から離れるのにしたがって徐々に太く形成された筒部と、を備え、前記表ガラスの内面で前記平行部と前記筒部とが交わる第１の縁部と、前記表ガラスの外面で前記平行部と前記筒部とが交わる第２の縁部と、が前記表示面に対し直交する方向に沿って並んでいることを特徴としている。
【０００８】
請求項２に記載の本発明の計器装置は、請求項１に記載の計器装置において、前記平行部の厚みは前記筒部の厚みより厚いことを特徴としている。
【０００９】
請求項１に記載の本発明によれば、出窓部の内面の第１の縁部と、出窓部の外面の第２の縁部とが、表示装置の表示面に直交する方向に沿って並んでいる。このため、特に、表示装置からの光などが、出窓部の縁部で屈折しない。
【００１０】
請求項２に記載の本発明によれば、平行部の厚みより筒部の厚みが薄い。このため、第１の縁部と第２の縁部とを表示装置の表示面に直交する方向に沿って確実に並べることができる。
【００１１】
【発明の実施の形態】
以下に本発明の一実施形態にかかる計器装置を図面を参照して説明する。図１などに示す計器装置１は、車両などの移動体に搭載されて、この移動体の運転者などに対し各種の情報を表示する装置である。計器装置１は、図２に示すように、メータケース２と、表示装置３，４，５と、表ガラス６と、見返し板７とを備えている。
【００１２】
メータケース２は、運転者に相対する開口部２ａを有する箱状に形成されている。メータケース２の開口部２ａを形成する外縁には、表ガラス６の後述する係止爪１９と見返し板７の後述する係止爪２４とが係止可能な受け溝８が複数形成されている。
【００１３】
表示装置３，４，５は、メータケース２内に収容される。一つの表示装置３は、燃料タンクの残燃料量を表示する所謂燃料計である。他の一つの表示装置４は、ラジエータの冷却水の温度（以下水温と記す）を表示する所謂水温計である。更に他の一つの表示装置５は、表示器である。
【００１４】
燃料計３は、クロスコイル式計器（Ｃｒｏｓｓ　ｃｏｉｌ　ｔｙｐｅ　ｇａｕｇｅ）やステッピングモータなどからなる計器ユニット９と、文字板１０と、指針１１などを備えている。計器ユニット９は、残燃料量検出手段などと接続している。計器ユニット９は、メータケース２などに固定されるユニット本体１２と、このユニット本体１２に回転自在に支持された出力軸１３と、を備えている。出力軸１３は、残燃料量検出手段が検出した残燃料量（計測量）に応じて回転する。計器ユニット９は、メータケース２内に収容される。
【００１５】
文字板１０は、薄い円板状に形成されている。文字板１０は、前記出力軸１３を通す孔１４と、図示しない文字や目盛りなどの指標（残燃料量を示す印）とを備えている。孔１４は、勿論、文字板１０を貫通している。指標は、文字板１０の運転者に相対する表面１０ａに形成されている。文字板１０の表面１０ａは、本明細書に記した表示面をなしている。文字板１０の表面１０ａは、指針１１に指されることで情報を表示する。文字板１０は、孔１４内に出力軸１３を通した格好で、メータケース２内に収容される。このとき、文字板１０は、計器ユニット９より運転者側に配される。
【００１６】
指針１１は、円盤状に形成された基部１５と、この基部１５から外方向に向かって延びた針部１６とを備えている。基部１５は、出力軸１３に固定される。このため、指針１１は、出力軸１３と一体に回転する。指針１１は、出力軸１３と一体に回転することで、針部１６が指標の所定位置を指すことにより、文字板１０と協働して前述した残燃料量（計測量）を表示する。
【００１７】
前述した構成の燃料計３は、計器ユニット９がメータケース２に取り付けられかつ孔１４内を通った出力軸１３に指針１１が取り付けて組立られる。このとき、指針１１と、文字板１０の表面１０ａに形成された指標とは、運転者に相対する。そして、残燃料量検出手段の検出した残燃料量（計測量）に応じて指針１１が回転する。そして、該指針１１が文字板１０の指標と協働して、情報としての残燃料量（計測量）を運転者に表示する。
【００１８】
水温計４は、燃料計３と構成が略同一であるので、同一部分には同一符号を付して説明を省略する。尚、水温計４の計器ユニット９には、ラジエータの水温を検出する冷却水温度検出手段が接続している。水温計４の計器ユニット９の出力軸１３及び指針１１は、冷却水温度検出手段が検出した水温に応じて回転する。また、水温計４の文字板１０の表面１０ａに形成された指標は、水温を示している。このような構成の水温計４は、冷却水温度検出手段が検出した水温に応じて、指針１１が回転して該指針１１が文字板１０の指標と協働して、情報としての水温を運転者に表示する。
【００１９】
表示器５は、図３に示すように、箱状の表示器本体１７と、この表示器本体１７内に収容された液晶ディスプレィ（Ｌｉｑｕｉｄ　ｃｒｙｓｔａｌ　ｄｉｓｐｌａｙ）１８とを備えている。表示器本体１７は、メータケース２に取り付けられる。表示器本体１７は、液晶ディスプレィ１８を駆動するための回路部品などを収容している。液晶ディスプレィ１８は、情報としての時刻などを表示する表示面１８ａを備えている。表示面１８ａの平面形状は、矩形状に形成されている。表示器５は、液晶ディスプレィ１８の表示面１８ａが運転者に相対する状態で、メータケース２内に収容される。
【００２０】
表ガラス６は、メータケース２の運転者側即ち正面（前面）側に配される。なお、正面（前面）側とは、メータケース２から表ガラス６や見返し板７などに向かう方向をなしている。表ガラス６の平面形状は、メータケース２の開口部２ａの平面形状と略同形状である。表ガラス６は、図２に示すように、受け溝８に係止可能な係止爪１９を複数備えている。表ガラス６は、係止爪１９が受け溝８に係止することにより、メータケース２の開口部２ａを形成する外縁に取り付けられる。表ガラス６は、メータケース２に取り付けられると、このメータケース２とともに前述した燃料計３、水温計４及び表示器５を収容する。
【００２１】
表ガラス６は、透明の合成樹脂からなり、平板部２０と出窓部２１とを一体に備えている。平板部２０は、平板状に形成されかつ平面形状がメータケース２の開口部２ａの平面形状と略同形状である。平板部２０は、メータケース２に取り付けられると、文字板１０の表面１０ａと、液晶ディスプレィ１８の表示面１８ａとの双方と平行になる。出窓部２１は、複数設けられ、図示例では三つ設けられている。
【００２２】
出窓部２１は、燃料計３と水温計４と表示器５それぞれの表面１０ａ及び表示面１８ａと相対する。出窓部２１は、平板部２０から運転者即ち前面（正面）側に向かって凸に形成されている。こうして、出窓部２１は、平板部２０からメータケース２の外方向に凸に形成されている。三つ（複数）の出窓部２１のうち表示器５に相対する出窓部２１（以下符号２１ａで示す）は、図３及び図４に示すように、平行部２２と筒部２３とを一体に備えている。
【００２３】
平行部２２は、平板状に形成されかつ表ガラス６がメータケース２に取り付けられると、表示器５の表示面１８ａと平行になるとともに前記表示面１８ａと相対する。平行部２２の平面形状は、表示面１８ａと略同形状の矩形状に形成されている。平行部２２の大きさは、表示面１８ａと略等しい。筒部２３は、四角筒状に形成されており、平行部２２の外縁と、平板部２０との双方に連なっている。筒部２３は、平行部２２から平板部２０に向かうにしたがって内外形が徐々に大きく形成されている。このため、筒部２３は、所謂オベリスク（方尖碑）状に形成されている。このように、筒部２３は、平行部２２から平板部２０に向かうにしたがって即ち平行部２２から離れるのにしたがって徐々に太く形成されている。
【００２４】
また、図４に示すように、平行部２２の厚みＴ１は、筒部２３の厚みＴ２より厚い。さらに、出窓部２１ａの表示面１８ａ寄りの内面で平行部２２と筒部２３とが交わる第１の縁部Ｅ１と、出窓部２１ａの運転者寄り即ち表示面１８ａから離れた側の外面で平行部２２と筒部２３とが交わる第２の縁部Ｅ２とは、表示面１８ａに直交する方向（図３及び図４中に矢印Ｈで示す）に沿って並んでいる。このため、平行部２２の厚みＴ１は、その中央部から前述した第１及び第２の縁部Ｅ１，Ｅ２とに亘って、一定に形成されている。
【００２５】
前述した三つの出窓部２１のうち燃料計３と水温計４とに相対する出窓部２１（以下符号２１ｂ，２１ｃで示す）の構成は、前述した表示器５に相対する出窓部２１ａと構成が同等であるので、同一部分の説明を省略する。燃料計３と水温計４とに相対する出窓部２１ｂ，２１ｃの平行部２２は、円板状に形成されかつ文字板１０と大きさが略等しい。出窓部２１ｂ，２１ｃの平行部２２は、文字板１０の表面１０ａと平行であるとともに、文字板１０の表面１０ａと相対する。筒部２３は、円筒状に形成されかつ平行部２２の外縁と、平板部２０との双方に連なっている。筒部２３は、平行部２２から平板部２０に向かうにしたがって内外径が徐々に大きくなっている。即ち、筒部２３は、平行部２２から離れるのにしたがって徐々に太く形成されている。
【００２６】
見返し板７は、表ガラス６の運転者側即ち前面（正面）側に配され、メータケース２の受け溝８に係止可能な係止爪２４を備えている。見返し板７は、係止爪２４が受け溝８に係止することで、メータケース２の開口部２ａを形成する外縁に取り付けられる。さらに、見返し板７は、前記出窓部２１ａ，２１ｂ，２１ｃを露出させる窓２５を複数備えている。窓２５は、見返し板７を貫通している。複数の窓２５の平面形状は、出窓部２１ａ，２１ｂ，２１ｃの平行部２２の平面形状と略同形状である。窓２５は、見返し板７が表ガラス６とともにメータケース２に取り付けられると、出窓部２１ａ，２１ｂ，２１ｃが侵入する。そして、見返し板７の表面は、平行部２２の表面と略同一平面上に位置する（面一となる）。こうして、窓２５は、出窓部２１ａ，２１ｂ，２１ｃと合致する（ぴったりと合う）。
【００２７】
また、前述した表ガラス６と見返し板７とが、メータケース２に取り付けられると、このメータケース２内に水滴や埃などが侵入することが防止される。さらに、計器装置１は、メータケース２内に前述した燃料計３、水温計４及び表示器５を駆動するための基板と回路部品や、照明用のバルブ（Ｂｕｌｂ）などを収容している。
【００２８】
本実施形態によれば、平行部２２の厚みＴ１より筒部２３の厚みＴ２が薄い。出窓部２１ａ，２１ｂ，２１ｃの内面の第１の縁部Ｅ１と、出窓部２１ａ，２１ｂ，２１ｃの外面の第２の縁部Ｅ２とが、表示面１８ａ及び文字板１０の表面１０ａに直交する方向Ｈに沿って並んでいる。このため、特に、燃料計３、水温計４及び表示器５などからの情報が出窓部２１ａ，２１ｂ，２１ｃの平行部２２の縁部で屈折しない。このため、燃料計３、水温計４及び表示器５が表示する情報が、出窓部２１ａ，２１ｂ，２１ｃの縁部で歪むことを防止できる。したがって、計器装置１は運転者などの使用者に正確な情報を提供することができる。
【００２９】
また、前述した実施形態では、燃料計３と水温計４と表示器５とを備えた計器装置１を示している。しかしながら、本発明は、車両速度を表示する速度計やエンジン回転数を表示するタコメータなどを有する計器装置にも適用できることは勿論である。
【００３０】
【発明の効果】
以上の如く、請求項１記載の本発明によれば、出窓部の内面の第１の縁部と、出窓部の外面の第２の縁部とが、表示装置の表示面に直交する方向に沿って並んでいる。このため、特に、表示装置などからの光が出窓部の縁部で屈折しない。このため、表示装置が表示する情報が、出窓部の縁部で歪むことを防止できる。したがって、使用者に正確な情報を提供することができる。
【００３１】
請求項２記載の本発明によれば、平行部の厚みより筒部の厚みが薄い。このため、第１の縁部と第２の縁部とを表示装置の表示面に直交する方向に沿って確実に並べることができる。このため、特に、表示装置などからの光が出窓部の縁部で屈折することを防止でき、表示装置が表示する情報が、出窓部の縁部で歪むことを防止できる。したがって、使用者に正確な情報を提供することができる。
【図面の簡単な説明】
【図１】本発明の一実施形態に係る計器装置の正面図である。
【図２】図１に示す計器装置を分解して示す斜視図である。
【図３】図１中のＩＩＩ−ＩＩＩ線に沿う断面図である。
【図４】図３に示された計器装置の要部を拡大して示す断面図である。
【符号の説明】
１　計器装置
２　メータケース
３　燃料計（表示装置）
４　水温計（表示装置）
５　表示器（表示装置）
６　表ガラス
１０ａ　表面（表示面）
１８ａ　表示面
２１，２１ａ，２１ｂ，２１ｃ　出窓部
２２　平行部
２３　筒部
Ｈ　表示面に直交する方向
Ｅ１　第１の縁部
Ｅ２　第２の縁部
Ｔ１　平行部の厚み
Ｔ２　筒部の厚み
【図１】
2004012234.tif 000003
【図２】
2004012234.tif 000004
【図３】
2004012234.tif 000005
【図４】
2004012234.tif 000006